(57)【要約】【課題】  複数の機種で共通のプログラムを用い、機種ごとに異なる表示を行うことができる操作スイッチ画面表示方法及び画像形成装置を提供する。【解決手段】  画像記録装置本体に設けられた制御手段１０１が画像記録装置本体が実現可能な機能の有無情報を有する記憶手段の有無情報に基づいて、操作パネル１０２のスイッチ操作画面に画像記録装置本体が実現可能な機能に基づくスイッチ操作画面の表示を行うことにより、複数の機種で共通のプログラムを用い、機種ごとに異なる表示を行うことができる。【選択図】  図１
2006109115.tif 000002
【特許請求の範囲】
【請求項１】
原稿を読み取って記録媒体に画像を記録する画像記録装置本体と、該画像記録装置本体を操作するための操作スイッチ画面を表示する操作パネルとを有する画像形成装置において、
前記画像記録装置本体内に設けられ前記画像記録装置本体が実現可能な機能の有無情報を有する記憶手段と、
前記記憶手段の有無情報に基づいて前記操作パネルに前記画像記録装置本体が実現可能な機能に基づいた操作スイッチ画面の表示を行うように制御する制御手段とを備えたことを特徴とする画像形成装置。
【請求項２】
前記実現可能な機能は、原稿種類指定機能、原稿濃度指定機能、特殊原稿指定機能、自動用紙選択機能、変倍印刷機能、及び両面印刷機能を少なくとも一つ含み、
前記有無情報は、前記実現可能な機能の有無、及び各種サイズ用給紙トレイの有無を少なくとも一つ含むことを特徴とする請求項１記載の画像形成装置。
【請求項３】
前記実現可能な機能のうち少なくとも一つの機能をアップグレードさせるためユーザが追加可能なオプションの設置又は除去により前記記憶手段を変更する変更手段を含むことを特徴とする請求項１または２記載の画像形成装置。
【請求項４】
前記画像記録装置本体内のデバイスの故障等で前記実現可能な機能のうち少なくとも一つの機能の使用が出来なくなると、前記記憶手段の内容を使用可能な機能の表示に変更する他の変更手段を含むことを特徴とする請求項１から３のいずれか１項記載の画像形成装置。
【請求項５】
操作パネルの操作スイッチ画面の操作に基づいて画像記録装置本体が原稿を読み取って記録媒体に画像を記録する画像記録装置における操作スイッチ画面表示方法において、
前記画像記録装置本体に設けられた制御手段が、前記画像記録装置本体の実現可能な機能の有無情報を有する記憶手段の前記有無情報に基づいて、前記操作パネルに前記画像記録装置本体が実現可能な機能に基づいた操作スイッチ画面の表示を行うことを特徴とする操作スイッチ画面表示方法。
【請求項６】
前記実現可能な機能は、原稿種類指定機能、原稿濃度指定機能、特殊原稿指定機能、自動用紙選択機能、変倍印刷機能、及び両面印刷機能を少なくとも一つ含み、
前記有無情報は、前記実現可能な機能の有無、及び各種サイズ用給紙トレイの有無を少なくとも一つ含むことを特徴とする請求項５記載の操作スイッチ画面表示方法。
【請求項７】
前記実現可能な機能のうち少なくとも一つの機能をアップグレードさせるためユーザが追加可能なオプションの設置又は除去により前記記憶手段を変更することを特徴とする請求項５または６記載の操作スイッチ画面表示方法。
【請求項８】
前記画像記録装置内のデバイスの故障等で前記実現可能な機能のうち少なくとも一つの機能の使用が出来なくなると、前記記憶手段の内容を使用可能な機能の表示に変更することを特徴とする請求項５から７のいずれか１項記載の操作スイッチ画面表示方法。
【発明の詳細な説明】
【技術分野】
【０００１】
本発明は、画像形成装置及び操作スイッチ画面表示方法に関する。
【背景技術】
【０００２】
画像形成装置において、ユーザインターフェイスの表示を変更する機能について、ユーザ固有のカスタマイズを行うものは多数報告されている。
「情報処理装置、情報処理方法およびユーザインターフェイス用記憶媒体」は、ユーザインターフェイスのアイテムの配置をカスタマイズできるインターフェイス用記憶媒体を提供している（例えば、特許文献１参照）。「操作表示用制御装置」は、装置を使用する個人を自動認識し、その個人用の画面を表示するものである（例えば、特許文献２参照）。
【特許文献１】特開平１１−２０３０００号公報
【特許文献２】特開平０６−０７８０９４号公報
【発明の開示】
【発明が解決しようとする課題】
【０００３】
ところで、コピー機、ＦＡＸ（ファクシミリ装置）、プリンタ等の画像形成装置は、通常ひとつのメーカが複数の機種を開発している。それぞれの機種は、基本機能は同じであるが細かい機能に差異がある。操作パネルからの操作は提供する機能に依存するため、提供する機能と同様に基本操作フローは同じになるが、細かい点に差異が出てくることになる。これら複数機種の画面フローを制御するプログラムの開発方法として、従来以下の２つの方法があった。
（１）機種毎に異なるプログラムを作成する方法。
（２）プログラムを全機種共通として開発し、機種毎の差異をプログラム内に制御コードとして記述する方法。
【０００４】
これらの方法のうち、（１）の方法は、機種毎にプログラムを作成する必要があり、非常に開発効率が悪いという問題がある。また、（２）の方法はプログラム内部に機種依存のコードが多数存在しメンテナンス性が悪いという問題がある。
しかしながら、複数の機種で共通のプログラムを用い、機種ごとに異なる表示を行うものは公知技術としては報告されていない。
そこで、本発明の目的は、複数の機種で共通のプログラムを用い、機種ごとに異なる表示を行うことができる画像形成装置及び操作スイッチ画面表示方法を提供することにある。
【課題を解決するための手段】
【０００５】
上記課題を解決するため、本発明の請求項１記載の発明は、原稿を読み取って記録媒体に画像を記録する画像記録装置本体と、該画像記録装置本体を操作するための操作スイッチ画面を表示する操作パネルとを有する画像形成装置において、前記画像記録装置本体内に設けられ前記画像記録装置本体が実現可能な機能の有無情報を有する記憶手段と、前記記憶手段の有無情報に基づいて前記操作パネルに前記画像記録装置本体が実現可能な機能に基づいた操作スイッチ画面の表示を行うように制御する制御手段とを備えたことを特徴とする。
【０００６】
請求項２記載の発明は、請求項１記載の発明において、前記実現可能な機能は、原稿種類指定機能、原稿濃度指定機能、特殊原稿指定機能、自動用紙選択機能、変倍印刷機能、及び両面印刷機能を少なくとも一つ含み、前記有無情報は、前記実現可能な機能の有無、及び各種サイズ用給紙トレイの有無を少なくとも一つ含むことを特徴とする。
【０００７】
請求項３記載の発明は、請求項１又は２記載の発明において、前記実現可能な機能のうち少なくとも一つの機能をアップグレードさせるためユーザが追加可能なオプションの設置又は除去により前記記憶手段を変更する変更手段を含むことを特徴とする。
【０００８】
請求項４記載の発明は、請求項１から３のいずれか１項記載の発明において、前記画像記録装置本体内のデバイスの故障等で前記実現可能な機能のうち少なくとも一つの機能の使用が出来なくなると、前記記憶手段の内容を使用可能な機能の表示に変更する他の変更手段を含むことを特徴とする。
【０００９】
請求項５記載の発明は、操作パネルの操作スイッチ画面の操作に基づいて画像記録装置本体が原稿を読み取って記録媒体に画像を記録する画像記録装置における操作スイッチ画面表示方法において、前記画像記録装置本体に設けられた制御手段が、前記画像記録装置本体の実現可能な機能の有無情報を有する記憶手段の前記有無情報に基づいて、前記操作パネルに前記画像記録装置本体が実現可能な機能に基づいた操作スイッチ画面の表示を行うことを特徴とする。
【００１０】
請求項６記載の発明は、請求項５記載の発明において、前記実現可能な機能は、原稿種類指定機能、原稿濃度指定機能、特殊原稿指定機能、自動用紙選択機能、変倍印刷機能、及び両面印刷機能を少なくとも一つ含み、前記有無情報は、前記実現可能な機能の有無、及び各種サイズ用給紙トレイの有無を少なくとも一つ含むことを特徴とする。
【００１１】
請求項７記載の発明は、請求項５または６記載の発明において、前記実現可能な機能のうち少なくとも一つの機能をアップグレードさせるためユーザが追加可能なオプションの設置又は除去により前記記憶手段を変更することを特徴とする。
【００１２】
請求項８記載の発明は、請求項５から７のいずれか１項記載の発明において、前記画像記録装置内のデバイスの故障等で前記実現可能な機能のうち少なくとも一つの機能の使用が出来なくなると、前記記憶手段の内容を使用可能な機能の表示に変更することを特徴とする。
【発明の効果】
【００１３】
画像記録装置本体に設けられた制御手段が画像記録装置本体の実現可能な機能の有無情報を有する記憶手段の有無情報に基づいて、操作パネルの操作スイッチ画面に実現可能な機能に基づいたスイッチ操作画面の表示を行うことにより、複数の機種で共通のプログラムを用い、機種ごとに異なる表示を行うことができる。
【発明を実施するための最良の形態】
【００１４】
〔第１の実施の形態〕
本発明の実施形態は、提供する機能の違いを記憶手段としてのテーブルで定義することで、画面フローの差異を表現し、複数機種に渡ったプログラムの生産性とメンテナンス性の向上を図るものである。
【００１５】
図１は本発明の一実施形態の操作スイッチ画面表示方法を適用した画像形成装置のブロック図である。
同図に示す画像形成装置１００に、外部記録装置１１６、ＰＣ１１７、及びネットワーク１１８が接続されている。
画像形成装置１００は、操作パネル１０２と画像形成装置本体とで構成されている。
画像形成装置１００は、制御手段としてのプロセッサ（ＣＰＵ：Central Processing  Unit）１０１を有している。このプロセッサ１０１は、装置全体の制御を司るものであり、その制御下に、バスライン１１５を介してパネル制御部１０５、エンジン制御部１０６、ディスクドライバ１０７、通信制御部１０８、ＲＯＭ（Read Only Memory：読み出し専用メモリ）１０４、ＲＡＭ（Random Access Memory：読み出し又は書き込みメモリ）１１０、ＮＶＲＡＭ（Non-Volatile RAM：不揮発性メモリ）１１１、外部記憶装置Ｉ／Ｆ（Interface）１１２、モデム１１９、及びホストＩ／Ｆ１１４が接続されている。
【００１６】
パネル制御部１０５には操作パネル１０２が接続され、エンジン制御部１０６にはスキャンプリントエンジン１０３が接続されている。ディスクドライバ１０７には記憶装置１０４が接続され、通信制御部１０８にはネットワーク１１８が接続されている。外部記憶装置Ｉ／Ｆ１１２には外部記憶装置１１６が接続されている。ホストＩ／Ｆ１１９にはＰＣ１１７が接続され、ネットワーク１１８にはＰＣ１１９が接続されている。
パネル制御部１０５には操作パネル１０２が接続され、エンジン制御部１０６にはスキャンプリントエンジン１０３が接続されている。ディスクドライバ１０７には記憶装置１０４が接続されている。
これら、プロセッサ１０１、バスライン１１５、パネル制御部１０５、エンジン制御部１０６、ディスクドライバ１０７、通信制御部１０８、ＲＯＭ１０４、ＲＡＭ１１０、ＮＶＲＡＭ１１１、外部記憶装置Ｉ／Ｆ１１２、モデム１１９、及びホストＩ／Ｆ１１４で画像形成装置本体が構成されている。
【００１７】
ＲＯＭ１０９には、プログラムコード、フォント、及びその他の静的なデータが格納されている。
ＲＡＭ１１０は、一時的な記憶場所として利用される。ＲＡＭ１１０は記憶手段としてのテーブルを有し、テーブルには原稿種類指定機能（文章主体の原稿であるか画像主体の原稿であるかを指定する機能、カラー原稿であるかモノクロ原稿であるかを指定する機能など）の有無、原稿濃度指定機能（原稿上の文字や画像の濃度を指定する機能）の有無、特殊原稿指定機能（不定形原稿の印刷や複数のサイズが混在する原稿の印刷を指定する機能）の有無、自動用紙選択機能（画像形成に用いる転写紙を原稿サイズや変倍率に応じて選択する機能）の有無、各種サイズ用給紙トレイの有無、変倍印刷機能（所定倍率又は任意倍率で拡大印刷又は縮小印刷を行う機能）の有無、及び両面印刷機能（片面原稿であるか両面原稿であるか及び片面印刷であるか両面印刷であるかを指定する機能）の有無のうちの少なくとも一つの情報が記憶されている。
ＮＶＲＡＭ１１１は、不揮発性のメモリからなり、恒久的なデータを格納しておく。
【００１８】
操作パネル１０２とパネル制御部１０５とは、ユーザとのインターフェイスとしての役割を司る。
スキャンプリントエンジン１０３とエンジン制御部１０６とは、イメージデータの入出力ユニットとして、紙原稿（原稿）の読み取りと記録媒体としての転写紙への印刷とを実行する。
記憶装置１０４とディスクドライバ１０７とは、大量のイメージデータなどを蓄積したり、データベースを記憶したりする記憶場所として利用される。
通信制御部１０８は、イーサネット（登録商標）等のネットワークに接続され、外部の機器（ＰＣ１１９）との通信を可能とする。
モデム１１９は、公衆回線と接続され、外部の機器との通信を可能とする。
ホストＩ／Ｆ１１７は、セントロニクス（登録商標）やRS-232C等のインターフェイスを用いて外部の機器（ＰＣ１１７）との通信を可能にする。
外部記憶装置Ｉ／Ｆ１１２はＵＳＢやＰＣカード等のインターフェイスを用いて装置外部の記憶装置１１６のデータにアクセスする。
【００１９】
画像形成装置１００は、ＲＯＭ１０９上のプログラムとそのプログラムに使用されるＲＡＭ１１０上の一時的なデータにより動作する。電源が投入されると、ＲＯＭ１０９上のプログラムは画像形成装置１００を初期化し、操作パネル１０２からの入力待ちの状態になる。ユーザは操作パネル１０２から自分が実行したい機能の諸条件を入力する。プログラムはそれらの条件を一時的にＲＡＭ１１０上に保持する。ユーザは全ての条件を入力すると操作パネル１０２から機能の実行を指示する。プログラムは、ＲＡＭ１１０上に保持した条件を元に、エンジン制御部１０６、ディスクドライバ１０７、通信制御部１０８、モデム１１９、ホストＩ／Ｆ１１４等を使って指示された機能を実現する。
【００２０】
図２は本発明の他の実施形態の操作スイッチ画面表示方法を適用した画像形成装置としての機種Ａのコピー機能条件の設定画面（以下「コピーＵＩ−Ａ」と呼ぶ）の一例である。
同図に示すコピーＵＩ−Ａ２００は、操作パネル１０２（図１参照）に設けられた液晶表示部のスイッチ操作画面である。コピーＵＩ−Ａ２００には上から動作可能表示「○コピーできます」２０１、原稿種類指定機能に基づくスイッチ表示「原稿種類２０２」、各種サイズ用給紙トレイの有無に基づくスイッチ表示「自動選択２０５」、各種サイズ用給紙トレイを選択するためのスイッチ表示「トレイ１（Ａ４サイズ）２０６、トレイ２（Ａ４サイズ）２０７、トレイ３（Ａ４サイズ）２０８」、原稿濃度指定を選択するためのスイッチ表示「濃度設定２０３」、変倍印刷機能を選択するためのスイッチ表示「等倍２０９」、用紙の拡大縮小を表示するための表示「用紙指定変倍２１０」、記録サイズの縮小を選択するためのスイッチ表示「Ａ３→Ａ４」２１１、記録サイズの拡大を選択するための「Ａ４→Ａ３」２０９、特殊原稿を選択するためのスイッチ表示「特殊原稿２０４」、両面印刷を選択するためのスイッチ表示「片面→両面」２１４、「両面→両面」２１５、及びコピー開始を選択するためのスイッチ表示「Ｓｔａｒｔ（以下、「スタート」と呼ぶ）」２１６が表示されている。
【００２１】
これらの表示のうち原稿種類２０２、濃度設定２０３、特殊原稿２０４、自動選択２０５、トレイ１（Ａ４サイズ）２０６、トレイ２（Ａ４サイズ）２０７、トレイ３（Ａ４サイズ）２０８、等倍２０９、「Ａ４→Ａ３」２１１，「Ａ４→Ａ３」２１２、「片面→片面」２１３、「片面→両面」２１４、「両面→両面」２１５、及びスタート２１６は機能の表示とボタンとの両方を兼ねている。
【００２２】
各機能の設定条件にはデフォルト値が準備されており、ユーザは設定をデフォルト以外にしたいもののみ変更することができ（例えば、普段使用しないトレイや特殊原稿等の表示を消すこと）、スタートボタン２１６を押すことによりコピーが実行される。
【００２３】
図３は本発明の他の実施形態の操作スイッチ画面表示方法を適用した画像形成装置としての機種Ｂのコピー機能条件の設定画面（以下「コピーＵＩ−Ｂ」と呼ぶ）の一例である。
同図に示すコピーＵＩ−Ｂ３００と、コピーＵＩ−Ａとの相違点は、トレイ３（Ａ４サイズ）と、両面印刷機能を表す「片面→両面」２１４及び「両面→両面」２１５とが無い点である。尚、「片面→片面」２１３が無いのは、図３においては片面印刷が前提となっており、両面印刷と片面印刷とを区別する必要が無いためである。
機種Ｂの操作手順は機種Ａと同様で、必要に応じて設定を変更した後に、スタートボタン２１６を押すことによりコピーが実行される。
【００２４】
次にこれらユーザインターフェイス制御について説明する。
図４は本発明の他の実施形態の操作スイッチ画面表示方法を適用した画像形成装置に用いられるソフトウェア構成を表したものである。
アプリケーション４００は、コピー、ＦＡＸ、プリンタ等の機能を実現するソフトウェアモジュールである。
パネル制御モジュール４０１は、操作パネル１０２（図１参照）への画像表示、操作パネル１０２からの入力イベント処理を行うモジュールである。
ＯＳ４０２は各デバイスを抽象化して、アプリケーションやパネル制御モジュール４０１にサービスを提供する。ＯＳ４０２は、組み込み機器で一般に使用されるＯＳであればよく、ＵＮＩＸ（登録商標）であってもμＩＴＲＯＮ（登録商標）であってもよい。
【００２５】
図５は本発明の他の実施形態の操作スイッチ画面表示方法を適用した画像形成装置におけるソフトウェアモジュール間通信の一例を示すシーケンス図である。
すなわち、同図はパネル制御モジュールが画面を表示し、ユーザが操作パネルにタッチ入力（「パネル入力」ともいう）を行ったときの制御の流れを表している。
同図に示すように画像形成装置１００（図１参照）の電源が投入され、アプリケーション４００（図４参照）自身の初期化が終了すると、アプリケーション４００は、パネル制御モジュール４０１（図４参照）に対して「コピー画面表示」を依頼する。このときアプリケーションは、その機種の機能の有無を記述した「機能テーブル」を「パネル制御モジュール」に渡す。各機能の機能テーブルの一例を表１、表２に示す。但し、表１は機種Ａの機能テーブルを示し、表２は機種Ｂの機能テーブルを示す。
【００２６】
【表１】
2006109115.tif 000003
【００２７】
【表２】
2006109115.tif 000004
【００２８】
パネル制御モジュール４０１は、表１、表２の機能テーブルの情報を元に画面の構成を決定し、ＯＳ４０２（図４参照）に対して「パネル表示」を依頼する。例えば、機種Ｂの場合は給紙トレイ３と両面印刷機能とが無いため、それらの機能に関するボタン表示は行わないことになる。
画面表示の動作は既存のシステムと何ら変わることはなく、以下のように動作する。
ユーザがパネル入力すると、ＯＳ４０２はパネル制御モジュール４０１にタッチされた座標情報と共にその旨を通知する。パネル制御モジュール４０１は、その座標情報からどのボタンが押下げ（押圧）されたかを判断し、そのボタンに対応する「設定値変更」をアプリケーション４００に対して通知する。
【００２９】
〔第１の実施形態の効果〕
複数機種のパネル制御プログラムを共通化することができ、さらに機能の有無という視点で表示構成を変更することが出来るため、パネル表示の機種依存の制御が非常に簡単に出来、開発効率の向上とメンテナンスコストの削減が実現できる。
【００３０】
〔第２の実施の形態〕
図６は本発明の他の実施形態の操作スイッチ画面表示方法を適用した画像形成装置におけるオプション脱着発生時のソフトウェアモジュール間通信の一例を示すシーケンス図である。
本発明の他の実施形態の操作スイッチ画面表示方法としてのオプション脱着発生時のソフトウェアモジュール間通信の一例を示すシーケンス図である。
ここで、「オプション」とは、増設トレイやフィニッシャなどユーザが追加購入して設置することにより、機能をアップグレードできる装置のことをいう。
アプリケーション４００（図４参照）は、画像形成装置にオプションの脱着が発生したことを検知すると、パネル制御モジュール４０１に「コピー画面更新」を依頼する。このときアプリケーション４００は、オプション脱着後の機能を記述した機能テーブルをパネル制御モジュール４０１に渡す。
例えば、機種Ａでトレイ４が追加されたときの機能テーブルの一例を表３に示す。
【００３１】
【表３】
2006109115.tif 000005
【００３２】
パネル制御モジュール４０１は、上記依頼を受けて表３に示す機能テーブルの情報を元にして画面の構成を変更し、ＯＳ４０２（図４参照）に対してパネル表示を依頼する。
【００３３】
図７は表３に示した機能テーブルに基づく操作スイッチ画面表示の一例である。
図７に示す画面表示であるコピーＵＩ−Ａ７００とコピーＵＩ−２００（図２参照）との相違点は、トレイ４（Ｂ４サイズ）７０１が増加した点であり、それ以外はコピーＵＩ−２００と同様であるため説明を省略する。
【００３４】
〔第２の実施形態の効果〕
オプションの脱着によるパネル表示の変更を、機能の変化という観点で制御できるため、プログラム構成が簡単になり、開発効率の向上とメンテナンスコストの削減とが実現できる。
【００３５】
〔第３の実施の形態〕
図８はエラー発生時のソフトウェアモジュール間の通信の一例を示すシーケンス図である。
アプリケーション４００（図４参照）は、装置にエラーが発生したことを検知すると、パネル制御モジュール４０１（図４参照）にコピー画面更新を依頼する。このときアプリケーションは、エラー発生後の機能を記述した機能テーブルをパネル制御モジュール４０１に渡す。例えば、機種Ａでトレイ１がエラーで使用できなくなった時の機能テーブルの一例を表４に示す。
【００３６】
【表４】
2006109115.tif 000006
【００３７】
パネル制御モジュール４０１は、表４に示した機能テーブルの情報を元に画面の構成を変更し、ＯＳ４０２に対してパネル表示を依頼する。図９は表４に示した機能テーブルに基づく機種Ａのコピーの機能条件設定画面の一例である。
図９に示す画面表示であるコピーＵＩ−Ａ８００とコピーＵＩ−２００（図２参照）との相違点は、トレイ３（Ａ４サイズ）２０８（図２参照）が無い点であり、それ以外はコピーＵＩ−２００と同様であるため説明を省略する。
【００３８】
〔第３の実施形態の効果〕
エラー発生によるパネル表示の変更を、機能の変化という観点で制御できるため、プログラム構成が簡単になり、開発効率の向上とメンテナンスコストの削減が実現できる。
【産業上の利用可能性】
【００３９】
コピー機、ＦＡＸ（ファクシミリ装置）、プリンタ等に利用できる。
【図面の簡単な説明】
【００４０】
【図１】本発明の一実施形態の操作スイッチ画面表示方法を適用した画像形成装置のブロック図である。
【図２】本発明の他の実施形態の操作スイッチ画面表示方法を適用した画像形成装置としての機種Ａのコピー機能条件の設定画面の一例である。
【図３】本発明の他の実施形態の操作スイッチ画面表示方法を適用した画像形成装置としての機種Ｂのコピー機能条件の設定画面の一例である。
【図４】本発明の他の実施形態の操作スイッチ画面表示方法を適用した画像形成装置に用いられるソフトウェア構成を表したものである。
【図５】本発明の他の実施形態の操作スイッチ画面表示方法を適用した画像形成装置におけるソフトウェアモジュール間通信の一例を示すシーケンス図である。
【図６】本発明の他の実施形態の操作スイッチ画面表示方法を適用した画像形成装置におけるオプション脱着発生時のソフトウェアモジュール間通信の一例を示すシーケンス図である。
【図７】表３に示した機能テーブルに基づく操作スイッチ画面表示の一例である。
【図８】エラー発生時のソフトウェアモジュール間の通信の一例を示すシーケンス図である。
【図９】表４に示した機能テーブルに基づく機種Ａのコピーの機能条件設定画面の一例である。
【符号の説明】
【００４１】
１００    画像形成装置
１０１    制御手段（プロセッサ、ＣＰＵ）
１０２    操作パネル
１０３    スキャンプリントエンジン
１０４    記憶装置
１０５    パネル制御部
１０６    エンジン制御部
１０７    ディスクドライバ
１０８    通信制御部
１０９    ＲＯＭ
１１０    ＲＡＭ
１１１    ＮＶＲＡＭ
１１２    外部記憶装置Ｉ／Ｆ
１１３    モデム
１１４    ホストＩ／Ｆ
１１５    バスライン
１１６    外部記憶装置
１１７、１１９    ＰＣ
１１８    ネットワーク
【図１】
2006109115.tif 000007
【図２】
2006109115.tif 000008
【図３】
2006109115.tif 000009
【図４】
2006109115.tif 000010
【図５】
2006109115.tif 000011
【図６】
2006109115.tif 000012
【図７】
2006109115.tif 000013
【図８】
2006109115.tif 000014
【図９】
2006109115.tif 000015